(57)【要約】　　　（修正有）【課題】客が指輪等の商品を手に触れて確認できると共に、必要な場合には客が試着を希望又は購入を希望する商品を装着して見ることができ、他の商品の盗難を可能な限り防止できるディスプレイ装置を提供する。【解決手段】指輪等商品のリングに挿通される棒状体７を備え、上記棒状体が軸方向に複数に分割可能に形成されている。上記棒状体は、その両端に上記リングの内径より外径が大きい鍔部を有し、その両端部をディスプレイケース１６の両側の側板に着脱可能に支持される。上記棒状体の傍には、その棒状体の長さ方向に沿って上記リングが取付けられた商品を載置しうる支持体２５が添設されることもある。【選択図】　　　　図４
0003098025.tif 000002
【実用新案登録請求の範囲】
【請求項１】
指輪等商品のリングに挿通される棒状体を備え、上記棒状体が軸方向に複数に分割可能に形成されていることを特徴とするディスプレイ装置。
【請求項２】
上記棒状体は、その両端に上記リングの内径より外径が大きい鍔部を有していることを特徴とする請求項１記載のディスプレイ装置。
【請求項３】
上記棒状体における各分割棒状部材は、その端面に突起部又は穴部が形成されて、その突起部又は穴部が隣接する分割棒状部材の端面に形成された穴部又は突起部と嵌合することにより互いに着脱可能に連結されうるように形成されていることを特徴とする請求項１又は２記載のディスプレイ装置。
【請求項４】
上記棒状体は、その両端部をディスプレイケースの両側の側板に着脱可能に支持されていることを特徴とする請求項１、２又は３記載のディスプレイ装置。
【請求項５】
上記ディスプレイケースの両側の側板には、その対向する内面部に、棒状体の両端部が嵌脱しうる凹溝部が形成されていることを特徴とする請求項４記載のディスプレイ装置。
【請求項６】
上記棒状体は、複数本が平行に配置されて上記ディスプレイケースに支持されていることを特徴とする請求項１、２、３、４又は５記載のディスプレイ装置。
【請求項７】
上記ディスプレイケースには、上記棒状体の傍に、その棒状体の長さ方向に沿って上記リングが取付けられた商品を載置しうる支持体が客の目線側に添設されていることを特徴とする請求項１、２、３、４、５又は６記載のディスプレイ装置。
【考案の詳細な説明】
【０００１】
【考案の属する技術分野】
本考案はディスプレイ装置に係り、特に、指輪等のリング付きの商品を展示するディスプレイ装置に関する。
【０００２】
【従来の技術】
従来、高価な宝石類は施錠されたケース内に収納されて展示されているが、一般的なアクセサリとしての指輪は、客が指に合うかどうか容易に確認できるように、開放された収納ケースに入れられて売場に展示されている。
【０００３】
そして、客は購入しようとする場合に、お目当ての指輪を収納ケースから自由に取り出し、手に触れることによって確認している。
【０００４】
しかしながら、場合によっては、店員の目を盗んで指輪が盗難されてしまうことがあった。
【０００５】
【考案が解決しようとする課題】
そこで本考案は、上記の問題を解決し、客が指輪等の商品を手に触れて確認できると共に、必要な場合には客が試着を希望又は購入を希望する商品を装着して見ることができるようにして、他の商品の盗難を可能な限り防止できるディスプレイ装置の提供を課題とする。
【０００６】
【課題を解決するための手段】
上記課題を解決するために、本考案のディスプレイ装置は、指輪等商品のリングに挿通される棒状体を備え、上記棒状体が軸方向に複数に分割可能に形成されていることを特徴とするものである。
【０００７】
これにより、本考案に係るディスプレイ装置にあっては、商品に取付けられたリングに棒状体が挿通されて、そのままでは商品を取り外すことができないため、従来のように、店員が気付かないうちに、簡単に商品が持ち去られるという事態を防止できる。また、客は指輪等の商品に手を触れて確認することができる。そして、客が商品を購入する場合は、その商品の近傍で上記棒状体を分割して、その商品だけ取り外すことができるので、他の商品の盗難が防止される。
【０００８】
また、本考案のディスプレイ装置は、上記棒状体が、その両端に上記リングの内径より外径が大きい鍔部を有しているものとすることができる。
【０００９】
これにより、本考案に係るディスプレイ装置にあっては、リングを棒状体の両端から抜き取ることができず、上記棒状体を分割しない限り商品を取り外すことができないので、商品の盗難防止に有効である。
【００１０】
また、本考案のディスプレイ装置は、上記棒状体における各分割棒状部材が、その端面に突起部又は穴部が形成されて、その突起部又は穴部が隣接する分割棒状部材の端面に形成された穴部又は突起部と嵌合することにより互いに着脱可能に連結されうるように形成されているものとすることができる。
【００１１】
これにより、本考案に係るディスプレイ装置にあっては、各分割棒状部材を連結する場合は、上記突起部を上記穴部に差し込めばよく、又、上記棒状体を分割する場合は、上記穴部から上記突起部を抜き取ればよいので棒状体の分割や連結が容易である。
【００１２】
また、本考案のディスプレイ装置は、上記棒状体が、その両端部をディスプレイケースの両側の側板に着脱可能に支持されているものとすることができる。
【００１３】
これにより、本考案に係るディスプレイ装置にあっては、上記棒状体をディスプレイケースから外すことができるので、上記棒状体を分割しやすい。
【００１４】
また、本考案のディスプレイ装置では、上記ディスプレイケースの両側の側板には、その対向する内面部に、棒状体の両端部が嵌脱しうる凹溝部が形成されているものとすることができる。
【００１５】
これにより、本考案に係るディスプレイ装置にあっては、上記棒状体の両端部を上記凹溝部に嵌脱させることにより、上記棒状体を上記ディスプレイケースに対し容易に着脱させることができる。
【００１６】
また、本考案のディスプレイ装置では、上記棒状体は、複数本が平行に配置されて上記ディスプレイケースに支持されているものとすることができる。
【００１７】
これにより、本考案に係るディスプレイ装置にあっては、多数の商品を各棒状体に取付けて展示することができ、客は各商品を見比べながら選択することができる。
【００１８】
また、本考案のディスプレイ装置では、上記ディスプレイケースには、上記棒状体の傍に、その棒状体の長さ方向に沿って上記リングが取付けられた商品を載置しうる支持体が客の目線側に添設されているものとすることができる。
【００１９】
これにより、本考案に係るディスプレイ装置にあっては、棒状体に通されたリングが取付けられた商品、例えば、模造石等が付けられた指輪における模造石等が上記支持体に載置されるので、模造石等の重さでリングが回転して商品が棒状体の下側に隠れてしまうのを防止することができ、客は商品を確実に目視することができる。
【００２０】
【考案の実施の形態】
以下、添付した図面を用いて本考案の実施の形態について説明する。
まず、図１、図４及び図６に示すように、本実施の形態に係るディスプレイ装置１，２，３は、指輪等商品のリング４，５，６（図１参照）に挿通される棒状体７を備え、上記棒状体７は軸方向に複数に分割可能に形成されている。
そして、上記棒状体７は、図２及び図３に示すように、その両端に上記リング４，５，６の内径より外径が大きい鍔部８，９を有している。
そして、上記棒状体７における各分割棒状部材１０，１１，１２は、図２及び図３に示すように、その端面に突起部１３又は穴部１４が形成されて、その突起部１３又は穴部１４が隣接する分割棒状部材の端面に形成された穴部１４又は突起部１３と嵌合することにより互いに着脱可能に連結されうるように形成されている。
そして、上記棒状体７は、図１、図４及び図６に示すように、その両端部をディスプレイケース１５，１６，１７の両側の側板１８，１９，２９，３０，３１，３２に着脱可能に支持されている。
そして、図１、図４及び図６に示すように、上記ディスプレイケース１５，１６，１７の両側の側板１８，１９，２９，３０，３１，３２には、その対向する内面部に、棒状体７の両端部が嵌脱しうる凹溝部２０，２１，２２が形成されている。
そして、上記棒状体７は、図１、図４及び図６に示すように、複数本が平行に配置されて上記ディスプレイケース１５，１６，１７に支持されている。
そして、図４及び図６に示された実施形態では、上記ディスプレイケース１６，１７には、上記棒状体７の傍に、その棒状体７の長さ方向に沿って、図５に示すように、リング２３に取付けられた模造石２４を載置しうる支持体２５，２６が客の目線側に添設されている。
【００２１】
以下、本実施の形態についてより詳細に説明する。
まず、図１乃至図３に示した実施形態から説明する。本実施形態に係るディスプレイ装置１では、矩形の底板２７の左右両端にそれぞれ略山形の側板１８、１９が直角に立設されてディスプレイケース１５が形成されている。
【００２２】
そして、各側板１８、１９の周縁部に沿って、その内面部に複数の凹溝部２０が形成されている。なお、凹溝部２０の数は自由である。
【００２３】
上記凹溝部２０は一方が各側板１８，１９の端縁において外方に開放されて形成されており、図１に示すように、上端の凹溝部２０は真上方向が開放され、位置が下るに従って凹溝部２０は開放部の向きが次第に横方向に傾斜している。
【００２４】
本実施の形態に係る上記ディスプレイケース１５はプラスチックで形成されているが、素材は自由である。
【００２５】
上記ディスプレイケース１５には、図１に示すように、複数本の棒状体７が取付けられている。
【００２６】
上記棒状体７は、図１に示すように、指輪等商品のリング４，５，６が挿通された場合には、当該リング４，５，６を棒状体７に保持させることができる。
【００２７】
上記棒状体７は、図２及び図３に示すように、軸方向に複数に分割可能に形成されている。図示した実施形態に係る棒状体７は３分割可能に形成され、両端の分割棒状部材１０，１２と、中間部分割棒状部材１１とで構成されているが、分割数は自由である。
また、本実施の形態にあっては、均等の寸法に３分割されているが、各分割棒状部材１０，１１，１２の長さ寸法は不均等であってもよく、本実施形態に限定されない。
【００２８】
上記の３体の分割棒状部材１０，１１，１２は互いに着脱可能に連結されている。
【００２９】
上記の両端の分割棒状部材１０，１２は内方の端面に突起部１３が設けられ、又、中間部の分割棒状部材１２は両側の端面にそれぞれ穴部１４が形成され、上記突起部１３と上記穴部１４は嵌合可能に形成されている。
【００３０】
すなわち、上記突起部１３と上記穴部１４が嵌合されることにより両端の分割棒状部材１０，１２と中間部の分割棒状部材１２は一体に連結され、上記突起部１３を上記穴部１４から抜き取れば各分割棒状部材１０，１１，１２は互いに分割されることになる。
【００３１】
上記両端の分割棒状部材１０，１２は外方の端部にそれぞれ鍔部８，９が設けられている。この鍔部８，９は、その外径が、上記棒状体７に挿通される上記リング４，５，６の内径より大きく設定されている。
【００３２】
したがって、上記リング４，５，６は鍔部８，９を通り抜けることができず、上記リング４，５，６を上記棒状体７から取り外すには、上記棒状体７を分割しなければならない。
【００３３】
なお、本実施形態では、上記両端の分割棒状部材１０，１２に上記突起部１３が設けられ、中間部の分割棒状部材１２に上記穴部１４が設けられ、上記突起部１３が上記穴部１４へ嵌合して接続される場合を例に説明したが、これに限定されず、機械的、磁気的に接合してもよい。
【００３４】
上記棒状体７は、本実施形態ではプラスチックで形成されているが、素材は自由であり、金属製や木製とすることも可能である。
【００３５】
上記棒状体７は上記ディスプレイケース１５に着脱可能に形成されている。すなわち、上記棒状体７は、その両端に形成された上記鍔部８，９を上記凹溝部２１に嵌合させることにより上記ディスプレイケース１５に装着され、上記鍔部８，９を上記凹溝部２０から抜き取ることにより上記ディスプレイケース１５から取り外すことができる。
【００３６】
次に、図４及び図５に示した実施形態について説明する。
本実施形態に係るディスプレイ装置２では、図４に示すように、長方形の底板２８の左右両端にそれぞれ略直角三角形の側板２９、３０が直角に立設されてディスプレイケース１６が形成されている。
【００３７】
そして、図４に示すように、各側板２９，３０の斜辺縁部に沿って、その内面部に複数の凹溝部２１が形成されている。そして、すべての凹溝部２１は上方が開放されて形成されている。なお、凹溝部２１の数は自由である。
【００３８】
上記ディスプレイケース１６に着脱自在に装着される棒状体７の構造は、図１乃至図３に示した上記実施形態の棒状体７と同一なので説明は省略する。
【００３９】
上記ディスプレイケース１６に装着された上記棒状体７の傍には、図４及び図５に示すように、上記棒状体７の長さ方向に沿って細い丸棒状の支持体２５が配され、その支持体２５の両端は上記側板２９、３０に固定されている。
【００４０】
上記支持体２５は客の目線側に配され、図５に示すように、上記棒状体７に挿通されたリング２３に取付けられた模造石２４が上記支持体２５の上に載置されて展示されることになる。
【００４１】
上記ディスプレイケース１６に対する上記棒状体７の着脱方法も上記図１乃至図３に示した実施形態と同じであり、説明は省略する。
【００４２】
次に、図６に示した実施形態について説明する。
本実施形態に係るディスプレイ装置３では、図６に示すように、ディスプレイケース１７が上方を開放した矩形の箱形に形成されている。
【００４３】
そして、図６に示すように、対向する側板３１，３２の上縁部に沿って、その内面部に複数の凹溝部２２が形成されている。そして、すべての凹溝部２２は上方が開放されている。なお、凹溝部２２の数は自由である。
【００４４】
上記ディスプレイケース１７に着脱自在に装着される棒状体７の構造は、図１乃至図３に示した上記実施形態や、図４及び図５に示した上記実施形態の棒状体７と同一なので説明は省略する。
【００４５】
上記ディスプレイケース１７に装着された上記棒状体７の傍には、図６に示すように、上記棒状体１７の長さ方向に沿って肉薄板状の支持体２６が配され、その支持体２６の両端は上記側板３１，３２に固定されている。
【００４６】
上記支持体２６は客の目線側に配され、図４及び図５に示した実施形態と同様に、上記棒状体７に挿通されたリングに取付けられた模造石が上記支持体２６の上に載置されて展示されることになる。
【００４７】
上記ディスプレイケース１７に対する上記棒状体７の着脱方法も上記図１乃至図３に示した実施形態や、図４及び図５に示した実施形態とと同じであり、説明は省略する。
【００４８】
【作用】
以下、本実施の形態の作用について説明する。
まず、指輪等の商品はそのリング４，５，６に棒状体７が挿通されて保持され、その棒状体７がディスプレイケース１５，１６，１７に装着されて展示される。したがって、客は商品に手を触れて確認することができる。
【００４９】
客が指輪等を指に嵌めて合うかどうか確認したい場合は、その指輪等を棒状体７から取り外すが、その場合は、棒状体７を分割しなければならず、店員の目を盗んで棒状体７を分割し、商品を盗難するのは困難である。
また、棒状体７の両端には鍔部８，９が形成されていて、リング４，５，６，２３は鍔部８，９を通り抜けることができないので、棒状体７を分割せずに、棒状体７の両端からこっそり商品を抜き取ることもできない。したがって、商品の盗難防止に極めて有効である。
【００５０】
【考案の効果】
請求項１記載の本考案のディスプレイ装置は、指輪等商品のリングに挿通される棒状体を備え、上記棒状体が軸方向に複数に分割可能に形成されているので、商品に取付けられたリングに棒状体が挿通されて、そのままでは商品を取り外すことができないため、従来のように、店員が気付かないうちに、商品が持ち去られるという事態を防止できる。
また、客は指輪等の商品に手を触れて確認することができる。
そして、客が商品を購入する場合は、その商品の近傍で上記棒状体を分割して、その商品だけ取り外すことができるので、他の商品の盗難が防止される。
【００５１】
また、請求項２記載の本考案のディスプレイ装置は、上記棒状体が、その両端に上記リングの内径より外径が大きい鍔部を有しているので、棒状体を挿通さあれたリングは棒状体の両端から抜き取ることができず、上記棒状体を分割しない限り商品を取り外すことができないので、商品の盗難防止に有効である。
【００５２】
また、請求項３記載の本考案のディスプレイ装置は、上記棒状体における各分割棒状部材が、その端面に突起部又は穴部が形成されて、その突起部又は穴部が隣接する分割棒状部材の端面に形成された穴部又は突起部と嵌合することにより互いに着脱可能に連結されうるように形成されているので、各分割棒状部材を連結する場合は、上記突起部を上記穴部に差し込めばよく、又、上記棒状体を分割する場合は、上記穴部から上記突起部を抜き取ればよいので棒状体の分割や連結が容易である。
【００５３】
また、請求項４記載の本考案のディスプレイ装置は、上記棒状体が、その両端部をディスプレイケースの両側の側板に着脱可能に支持されているので、上記棒状体をディスプレイケースから外すことができて、上記棒状体を分割しやすい。
【００５４】
また、請求項５記載の本考案のディスプレイ装置は、上記ディスプレイケースの両側の側板には、その対向する内面部に、棒状体の両端部が嵌脱しうる凹溝部が形成されているので、上記棒状体の両端部を上記凹溝部に嵌脱させることにより、上記棒状体を上記ディスプレイケースに対し容易に着脱させることができる。
【００５５】
また、請求項６記載の本考案のディスプレイ装置は、上記棒状体は、複数本が平行に配置されて上記ディスプレイケースに支持されているので、多数の商品を各棒状体に取付けて展示することができ、客は各商品を見比べながら選択することができる。
【００５６】
また、請求項７記載の本考案のディスプレイ装置は、上記棒状体の傍に、その棒状体の長さ方向に沿って上記リングに取付けられた模造石を載置しうる支持体が客の目線側に添設されているので、棒状体を挿通されたリングが取付けられた模造石が支持体に載置されて、模造石の重さでリングが回転して模造石が棒状体の下側に隠れてしまうのを防止することができると共に、客は商品を確実に目視することができる。
【図面の簡単な説明】
【図１】本実施の形態に係るディスプレイ装置の斜視図である。
【図２】本実施の形態に係る棒状体の断面図である。
【図３】本実施の形態に係る棒状体の分解斜視図である。
【図４】本実施の形態に係るディスプレイ装置の斜視図である。
【図５】本実施の形態に係る商品を展示している状態を示す一部断面図である。
【図６】本実施の形態に係るディスプレイ装置の斜視図である。
【符号の説明】
１　ディスプレイ装置
２　ディスプレイ装置
３　ディスプレイ装置
４　リング
５　リング
６　リング
７　棒状体
８　鍔部
９　鍔部
１０　分割棒状部材
１１　分割棒状部材
１２　分割棒状部材
１３　突起部
１４　穴部
１５　ディスプレイケース
１６　ディスプレイケース
１７　ディスプレイケース
１８　側板
１９　側板
２０　凹溝部
２１　凹溝部
２２　凹溝部
２３　リング
２４　模造石
２５　支持体
２６　支持体
２７　底板
２８　底板
２９　側板
３０　側板
３１　側板
３２　側板
【図１】
0003098025.tif 000003
【図２】
0003098025.tif 000004
【図３】
0003098025.tif 000005
【図４】
0003098025.tif 000006
【図５】
0003098025.tif 000007
【図６】
0003098025.tif 000008